(57)【要約】【課題】ガラス基板に付着したガラスカレットを、確実に除去することができるガラスカレットの除去装置、除去方法および基板分断装置を提供する。【解決手段】スクライブラインＬに沿ってガラス基板８０をブレイクした時に発生するガラスカレットＣを除去するガラスカレットの除去装置において、スクライブラインＬに沿って配設され、真空吸引手段２９に連なると共にガラスカレットＣを吸引する吸引部１１と、スクライブラインＬを中心に線対称位置に配設され、エアー供給手段３３に連なると共にガラス基板８０に付着しているガラスカレットＣを吹き払う一対の吹出し部１２，１２と、を備え、各吹出し部１２は、供給エアーに乱流を発生させる乱流生成手段２４，２５を有している。【選択図】図３
2008094691.tif 000002
【特許請求の範囲】
【請求項１】
分断ラインに沿ってガラス基板を分断する基板分断装置に設けられ、分断時に発生するガラスカレットを除去するガラスカレットの除去装置において、
前記分断ラインに沿って配設され、真空吸引手段に連なると共にガラスカレットを吸引する吸引部と、
前記分断ラインを中心に線対称位置に配設され、気体供給手段に連なると共に前記ガラス基板に付着しているガラスカレットを吹き払う一対の吹出し部と、を備え、
前記各吹出し部は、供給気体に乱流を発生させる乱流生成手段を有していることを特徴とするガラスカレットの除去装置。
【請求項２】
前記乱流生成手段は、前記各吹出し部の内部流路に臨ませた邪魔部材および前記各吹出し部の内部流路の流路壁に形成した凹凸部の、少なくとも一方により構成されていることを特徴とする請求項１に記載のガラスカレットの除去装置。
【請求項３】
前記各吹出し部は、前記分断ラインに平行に列設された複数の吹出しノズルを有していることを特徴とする請求項１または２に記載のガラスカレットの除去装置。
【請求項４】
分断ラインに沿ってガラス基板を分断する基板分断装置に設けられ、分断時に発生するガラスカレットを除去するガラスカレットの除去装置において、
前記分断ラインに沿って配設され、真空吸引手段に連なると共にガラスカレットを吸引する吸引部と、
前記分断ラインを中心に線対称位置に配設され、気体供給手段に連なると共に前記ガラス基板に付着しているガラスカレットを吹き払う一対の吹出し部と、
前記一対の吹出し部と前記気体供給手段とを接続する気体供給流路と、
前記気体供給流路に介設した供給バルブと、
前記供給バルブを制御する制御手段と、を更に備え、
前記制御手段は、供給気体の吹出しを断続させてガラスカレットを吹き払うことを特徴とするガラスカレットの除去装置。
【請求項５】
前記気体供給流路は、前記一対の吹出し部に対応して一対の供給分岐流路を有し、且つ前記供給バルブは、前記一対の供給分岐流路にそれぞれ介設されており、
前記制御手段は、一対の前記供給バルブを交互に開閉制御することを特徴とする請求項４に記載のガラスカレットの除去装置。
【請求項６】
前記各吹出し部は、前記分断ラインに平行に列設された複数の吹出しノズルを有し、
前記気体供給流路は、前記複数の吹出しノズルに対応して複数の供給分岐流路を有し、且つ前記供給バルブは、前記複数の供給分岐流路にそれぞれ介設されており、
前記制御手段は、複数の前記供給バルブを個別に且つ不規則に開閉制御することを特徴とする請求項４に記載のガラスカレットの除去装置。
【請求項７】
前記ガラス基板の上側空間および下側空間のいずれか一方に、前記吸引部が配設され、他方に、前記一対の吹出し部が配設されていることを特徴とする請求項１ないし６のいずれかに記載のガラスカレットの除去装置。
【請求項８】
前記分断ラインを挟んで前記吸引部に対峙し、前記気体供給手段に連なると共に前記吸引部に向かって供給気体を吹き付ける補助吹出し部を、更に備えたことを特徴とする請求項７に記載のガラスカレットの除去装置。
【請求項９】
前記吸引部は、前記分断ラインに直交する方向に複数配設されていることを特徴とする請求項７または８に記載のガラスカレットの除去装置。
【請求項１０】
前記一対の吹出し部は、供給気体をそれぞれ前記分断ラインに向かって斜めに吹き付けることを特徴とする請求項１ないし９のいずれかに記載のガラスカレットの除去装置。
【請求項１１】
前記一対の吹出し部と前記気体供給手段とを接続する気体供給流路に、除電のために供給気体をイオン化するイオン化手段を、更に備えたことを特徴とする請求項１ないし１０のいずれかに記載のガラスカレットの除去装置。
【請求項１２】
除電のために前記分断ラインの周囲雰囲気をイオン化するイオン化手段を、更に備えたことを特徴とする請求項１ないし１０のいずれかに記載のガラスカレットの除去装置。
【請求項１３】
前記吸引部の両外側に配設され、前記分断ラインの周囲を覆う整流板を、更に備えたことを特徴とする請求項１ないし１２のいずれかに記載のガラスカレットの除去装置。
【請求項１４】
分断ラインに沿ってガラス基板を分断する際に発生する、ガラスカレットの除去方法であって、
前記分断ラインに沿って配設した吸引部からの気体吸引動作と、前記分断ラインを中心に線対称位置に配設した一対の吹出し部からの気体吹出し動作と、を同期させ、
前記気体吹出し動作で、乱流となる供給気体を吹き出して、前記ガラス基板に付着しているガラスカレットを吹き払うことを特徴とするガラスカレットの除去方法。
【請求項１５】
分断ラインに沿ってガラス基板を分断する際に発生する、ガラスカレットの除去方法であって、
前記分断ラインに沿って配設した吸引部からの気体吸引動作と、前記分断ラインを中心に線対称位置に配設した一対の吹出し部からの気体吹出し動作と、を同期させ、
前記気体吹出し動作で、断続流となる供給気体を吹き出して、前記ガラス基板に付着しているガラスカレットを吹き払うことを特徴とするガラスカレットの除去方法。
【請求項１６】
請求項１ないし１３のいずれかに記載のガラスカレットの除去装置を、備えたことを特徴とする基板分断装置。
【請求項１７】
前記ガラス基板を分断することにより、前記ガラス基板からＴＦＴ液晶パネルを複数枚取りすることを特徴とする請求項１６に記載の基板分断装置。
【発明の詳細な説明】
【技術分野】
【０００１】
本発明は、分断ラインに沿ってガラス基板を分断する基板分断装置に設けられ、分断時に発生するガラスカレットを除去するガラスカレットの除去装置、ガラスカレットの除去方法および基板分断装置に関するものである。
【背景技術】
【０００２】
この種のガラスカレットの除去装置として、スクライブラインに沿ってガラス基板をブレイクしたときに、発生したガラスカレットを吸引する吸引ノズルと、スクライブラインに向かってエアーを吹き付けるブローノズルと、を備えたものが知られている（例えば、特許文献１）。
この場合、吸引ノズルは、スクライブラインに沿ってその直上部に開口し、ブローノズルは、ガラス基板に３０°の角度でエアーを吹き付けるようになっている。
【特許文献１】特開２００６−８９３２５号公報
【発明の開示】
【発明が解決しようとする課題】
【０００３】
ところで、ブレイク等により発生するガラスカレットは、スクライブラインの周囲雰囲気中に舞うものの他、静電気等によりガラス基板のブレイク面に付着しているものもある。このようなガラス基板に付着しているガラスカレットは、従来の除去装置ように、単純にエアーを吹き付け且つ吸引しても、ガラス基板から剥離することなく残ってしまう問題があった。そして、ガラス基板に付着して残ったガラスカレットが、後工程等で剥がれガラス基板に付着してガラス基板を傷付けるおそれがあった。
【０００４】
本発明は、ガラス基板に付着した分断時のガラスカレットを、確実に除去することができるガラスカレットの除去装置、ガラスカレットの除去方法および基板分断装置を提供することを課題としている。
【課題を解決するための手段】
【０００５】
本発明のガラスカレットの除去装置は、分断ラインに沿ってガラス基板を分断する基板分断装置に設けられ、分断時に発生するガラスカレットを除去するガラスカレットの除去装置において、分断ラインに沿って配設され、真空吸引手段に連なると共にガラスカレットを吸引する吸引部と、分断ラインを中心に線対称位置に配設され、気体供給手段に連なると共にガラス基板に付着しているガラスカレットを吹き払う一対の吹出し部と、を備え、各吹出し部は、供給気体に乱流を発生させる乱流生成手段を有していることを特徴とする。
【０００６】
この構成によれば、分断ラインに対し線対称となるように配設された一対の吹出し部により、ガラス基板に付着しているガラスカレットが吹き払われると共に、吹き払われたガラスカレットは、吸引部により吸引される。この場合、各吹出し部から吹き出される供給気体は、乱流生成手段により乱流となってガラス基板に吹き付けられる。このため、ガラス基板に付着しているガラスカレットは、複数方向から強弱の風を受けてガラス基板から剥離し、吸引部に吸引される。このように、ガラス基板に付着しているガラスカレットに、乱流となった供給気体を吹き付けるようにしているため、ガラス基板に付着しているガラスカレットも確実に除去し回収することができる。なお、「分断」とは、スクライブ後のブレイクおよびダイシング（切断）を含む概念であり、この除去装置はブレイク装置およびダイシング装置に適用可能である。また、供給気体として、空気の他、窒素や二酸化炭素等が考えられる。
【０００７】
この場合、乱流生成手段は、各吹出し部の内部流路に臨ませた邪魔部材および各吹出し部の内部流路の流路壁に形成した凹凸部の、少なくとも一方により構成されていることが、好ましい。
【０００８】
これらの構成によれば、各吹出し部の内部流路内で、乱流を簡単に作り出すことができる。
【０００９】
これらの場合、各吹出し部は、分断ラインに平行に列設された複数の吹出しノズルを有していることが、好ましい。
【００１０】
この構成によれば、部分的な乱流を容易に作り出すことができる。
【００１１】
本発明の他のガラスカレットの除去装置は、分断ラインに沿ってガラス基板を分断する基板分断装置に設けられ、分断時に発生するガラスカレットを除去するガラスカレットの除去装置において、分断ラインに沿って配設され、真空吸引手段に連なると共にガラスカレットを吸引する吸引部と、分断ラインを中心に線対称位置に配設され、気体供給手段に連なると共にガラス基板に付着しているガラスカレットを吹き払う一対の吹出し部と、一対の吹出し部と気体供給手段とを接続する気体供給流路と、気体供給流路に介設した供給バルブと、供給バルブを制御する制御手段と、を更に備え、制御手段は、供給気体の吹出しを断続させてガラスカレットを吹き払うことを特徴とする。
【００１２】
この構成によれば、分断ラインに対し線対称となるように配設された一対の吹出し部により、ガラス基板に付着しているガラスカレットが吹き払われると共に、吹き払われたガラスカレットは、吸引部により吸引される。この場合、各吹出し部から吹き出される供給気体は、断続するようにしてガラス基板に吹き付けられる。このため、ガラス基板に付着しているガラスカレットは、極端な強弱の風を受け挙動してガラス基板から剥離し、吸引部に吸引される。このように、ガラス基板に付着しているガラスカレットに、強弱の供給気体を吹き付けるようにしているため、ガラス基板に付着しているガラスカレットも確実に除去し回収することができる。
【００１３】
この場合、気体供給流路は、一対の吹出し部に対応して一対の供給分岐流路を有し、且つ供給バルブは、一対の供給分岐流路にそれぞれ介設されており、制御手段は、一対の供給バルブを交互に開閉制御することが、好ましい。
【００１４】
この構成によれば、ガラス基板に付着しているガラスカレットは、極端な強弱の風を受けると共に、逆方向からの風を受けることになる。このため、ガラスカレットは、ガラス基板から容易に剥離して吸引部に吸引される。
【００１５】
同様に、各吹出し部は、分断ラインに平行に列設された複数の吹出しノズルを有し、気体供給流路は、複数の吹出しノズルに対応して複数の供給分岐流路を有し、且つ供給バルブは、複数の供給分岐流路にそれぞれ介設されており、制御手段は、複数の供給バルブを個別に且つ不規則に開閉制御することが、好ましい。
【００１６】
この構成によれば、ガラス基板に付着しているガラスカレットは、極端な強弱の風を受けると共に、多方向からの風を受けることになる。このため、ガラスカレットは、ガラス基板から容易に剥離して吸引部に吸引される。
【００１７】
これらの場合、ガラス基板の上側空間および下側空間のいずれか一方に、吸引部が配設され、他方に、一対の吹出し部が配設されていることが、好ましい。
【００１８】
この構成によれば、一対の吹出し部から吹き出された供給気体は、ブレイクされたガラス基板の間隙を通って吸引部に吸引される。このため、供給気体は風速を極端に減ずることなく、且つ発生したガラスカレットを運ぶようにして吸引部に円滑に流れる。したがって、発生したガラスカレットを確実に回収することができる。
【００１９】
この場合、分断ラインを挟んで吸引部に対峙し、気体供給手段に連なると共に吸引部に向かって供給気体を吹き付ける補助吹出し部を、更に備えることが好ましい。
【００２０】
この構成によれば、補助吹出し部から吸引部に向かって流れる供給気体により、周囲に随伴流が生じ、この随伴流に載せてガラスカレットを吸引部に円滑に導くことができる。
【００２１】
この場合、吸引部は、分断ラインに直交する方向に複数配設されていることが、好ましい。
【００２２】
この構成によれば、発生したガラスカレットを外部に漏らすことなく、吸引部に確実に吸引することができる。
【００２３】
これらの場合、一対の吹出し部は、供給気体をそれぞれ分断ラインに向かって斜めに吹き付けることが、好ましい。
【００２４】
この構成によれば、ガラス基板に付着しているガラスカレットを浮き上がらせるようにして剥離することができ、ガラスカレットをガラス基板から容易に剥離することができる。
【００２５】
これらの場合、一対の吹出し部と気体供給手段とを接続する気体供給流路に、除電のために供給気体をイオン化するイオン化手段を、更に備えることが好ましい。
【００２６】
同様に、除電のために分断ラインの周囲雰囲気をイオン化するイオン化手段を、更に備えることが好ましい。なお、イオン化手段として、イオナイザを用いることが好ましい。
【００２７】
これらの構成によれば、イオン化手段によりガラス基板の静電気を除電することができるため、静電吸着によりガラス基板に付着しているガラスカレットを、簡単に剥離して回収（吸引）することができる。
【００２８】
これらの場合、吸引部の両外側に配設され、分断ラインの周囲を覆う整流板を、更に備えることが好ましい。
【００２９】
この構成によれば、一対の吹出し部から吹き出された供給気体を、ガラスカレットと共に吸引部に円滑に流すことができ、ガラスカレットを外部に漏らすことなく、効率良く吸引することができる。
【００３０】
本発明のガラスカレットの除去方法は、分断ラインに沿ってガラス基板を分断する際に発生する、ガラスカレットの除去方法であって、分断ラインに沿って配設した吸引部からの気体吸引動作と、分断ラインを中心に線対称位置に配設した一対の吹出し部からの気体吹出し動作と、を同期させ、気体吹出し動作で、乱流となる供給気体を吹き出して、ガラス基板に付着しているガラスカレットを吹き払うことを特徴とする。
【００３１】
この構成によれば、各吹出し部から吹き出される供給気体は、乱流生成手段により乱流となってガラス基板に吹き付けられる。このため、ガラス基板に付着しているガラスカレットは、複数方向から強弱の風を受けてガラス基板から剥離し、吸引部に吸引される。このように、ガラス基板に付着しているガラスカレットに、乱流となった供給気体を吹き付けるようにしているため、ガラス基板に付着しているガラスカレットも確実に除去し回収することができる。
【００３２】
本発明の他のガラスカレットの除去方法は、分断ラインに沿ってガラス基板を分断する際に発生する、ガラスカレットの除去方法であって、分断ラインに沿って配設した吸引部からの気体吸引動作と、分断ラインを中心に線対称位置に配設した一対の吹出し部からの気体吹出し動作と、を同期させ、気体吹出し動作で、断続流となる供給気体を吹き出して、ガラス基板に付着しているガラスカレットを吹き払うことを特徴とする。
【００３３】
この構成によれば、各吹出し部から吹き出される供給気体は、断続するようにしてガラス基板に吹き付けられる。このため、ガラス基板に付着しているガラスカレットは、極端な強弱の風を受け挙動してガラス基板から剥離し、吸引部に吸引される。このように、ガラス基板に付着しているガラスカレットに、強弱の供給気体を吹き付けるようにしているため、ガラス基板に付着しているガラスカレットも確実に除去し回収することができる。
【００３４】
本発明の基板分断装置は、上記したガラスカレットの除去装置を、備えたことを特徴とする。
【００３５】
この構成によれば、ブレイクやダイシングにより生じたガラスカレットを、確実に回収することができ、ガラスカレットによるガラス基板の損傷を防止することができる。
【００３６】
この場合、ガラス基板を分断するにより、前記ガラス基板からＴＦＴ液晶パネルを複数枚取りすることが、好ましい。
【００３７】
この構成によれば、ガラス基板の分断時にガラスカレットを確実に除去することができるため、ガラスカレットによりＴＦＴ（Thin Film Transistor）液晶パネルが傷つくことがなく、ＴＦＴ液晶パネルの歩留りを向上させることができる。
【発明を実施するための最良の形態】
【００３８】
以下、添付の図面を参照しながら、本発明の一実施形態に係るガラスカレットの除去装置を適用した、ガラス基板のブレイク装置（基板分断装置）について説明する。このブレイク装置は、ガラス基板である円板状のＯＤＦ（One Drop Filling）マザー基板を、スクライブライン（分断ライン）に沿ってマトリクス状に分割（ブレイク）し、小型のＴＦＴ（Thin Film Transistor）液晶パネルを複数枚取りするものである。
【００３９】
図１に示すように、ＯＤＦマザー基板８０は、液晶を滴下したシール材８３を介して、複数のＴＦＴを半導体技術によりマトリクス状に作りこんだ石英ガラス製の円形のＴＦＴマザー基板８１と、石英ガラス製の円形の対向マザー基板８２と、を貼り合わせて構成されている。一方、スクライブラインＬに沿ってＯＤＦマザー基板８０から分割されたＴＦＴ液晶パネル９０は、シール材８３を介して、ＴＦＴ基板８５と対向基板８６とを貼り合わせた構成を有し、全体として方形に形成されている。そして、ＴＦＴ液晶パネル９０の構成した端子部８７にＦＰＣが接続されるようになっている。
【００４０】
図２に示すように、ブレイク装置１は、４本の支持脚２と、４本の支持脚２上に固定されたメインテーブル３と、メインテーブル３の端部に回動自在に取り付けられたサブテーブル４と、メインテーブル３に対しサブテーブル４を下方に回動させるエアーシリンダ５と、を備えると共に、メインテーブル３とサブテーブル４との境界部分の直上部に配設したガラスカレットの除去装置（以下、「カレット除去装置６」）６と、これら構成装置を統括制御する制御手段７（図３参照）と、を備えている。そして、ＯＤＦマザー基板８０は、スクライブラインＬを上記の境界部分に位置合せして、その被ブレイク側をメインテーブル３上に、ブレイク側をサブテーブル４上にセットされるようになっている。
【００４１】
メインテーブル３はいわゆる吸着テーブルであり、その表面には、後述する真空吸引手段２９に連なる多数の吸引孔（図示省略）が形成されている。同様に、サブテーブル４は吸着テーブルであり、その表面には、真空吸引手段２９に連なる多数の吸引孔（図示省略）が形成されている。ＯＤＦマザー基板８０は、そのスクライブラインＬを両テーブル３，４の境界線に位置合せして吸着セットされ、この状態でエアーシリンダ５により、サブテーブル４を所定の角度下方に回動させることにより、ブレイクされる。実際のブレイク作業では、縦横の一方のスクライブラインＬに沿って、ＯＤＦマザー基板８０を短冊状にブレイクし、この短冊状の各ＯＤＦマザー基板８０からＴＦＴ液晶パネル９０を１つずつブレイクする。
【００４２】
このように、ＯＤＦマザー基板８０を吸着した状態でブレイクするようにしているため、液晶ギャップが狂うことが無く且つＯＤＦマザー基板８０の表裏両面が傷つくことがない。なお、スクライブラインＬは、フェムト秒レーザによるＯＤＦマザー基板（ＴＦＴマザー基板８１および対向マザー基板８２）８０の改質や、物理的な溝形成により、形成されることが好ましい。
【００４３】
図２および図３に示すように、カレット除去装置６は、ＯＤＦマザー基板８０のブレイクにより生ずるガラスカレットＣを吸引・除去するものであり、ガラスカレットＣ混じりの雰囲気を吸引する３つの吸引部１１，１１，１１と、ＯＤＦマザー基板８０のスクライブラインＬ（ブレイク位置）に向かってエアー（供給気体）を吹き付ける一対の吹出し部１２，１２と、エアーの流れを３つの吸引部１１，１１，１１に導く一対の整流板１３，１３と、を備えている。一対の吹出し部１２，１２は、ＯＤＦマザー基板８０の上側空間に配設され、３つの吸引部１１，１１，１１と一対の整流板１３，１３とは、ＯＤＦマザー基板８０の下側空間に配設されている。
【００４４】
３つの吸引部１１，１１，１１は、メインテーブル３とサブテーブル４との境界線に直交する方向に並んでおり、各吸引部１１は、境界線（スクライブライン）に平行に延在するスリット吸引口２１を有している。この場合、各吸引部１１の長さは、メインテーブル（サブテーブル４）３の幅と略同一となっており、ＯＤＦマザー基板８０における最大長のスクライブラインＬをスリット吸引口２１によりカバーできるようになっている。
【００４５】
一対の吹出し部１２，１２は、境界線に対し線対称位置に、且つ逆「ハ」字状となる斜め内向きにそれぞれ配設されている。各吹出し部１２は、境界線と平行に列設した複数の吹出しノズル２３と、複数の吹出しノズル２３を支持する支持部材（図示省略）と、により構成されている。各吹出しノズル２３には、その内部流路の流路壁（内周面）に螺旋状の凹凸部２４が形成され、且つ内部流路の先端側に臨ませて邪魔部材２５が設けられている。これにより、請求項に言う乱流発生手段が構成され、吹出しノズル２３から乱流となったエアーが吹き出されるようになっている。なお、スリット吸引口２１を、複数の吸引口を列設した吸引口アレイで構成してもよい。また、複数の吹出しノズル２３を、各吸引部１１の単位で、スリット吹出し口を有する一体のノズルとしてもよい。さらに、後述する複数の個別エアー配管３１の代わりに、各吸引部１１の単位でマニホールドを設けるようにしてもよい。
【００４６】
各スリット吸引口２１には個別吸引配管２７がそれぞれ接続されており、３つの個別吸引配管２７，２７，２７が合流した主吸引配管（吸引流路）２８の下流側に真空吸引手段２９に接続されている。同様に、各吹出しノズル２３には個別エアー配管３１がそれぞれ接続されており、複数の個別エアー配管３１が合流した主エアー配管（気体供給流路）３２の上流側にエアー供給手段３３に接続されている。主吸引配管２８には、エアーオペレートバルブ等で構成した吸引バルブ３５が介設され、同様に主エアー配管３２には、エアーオペレートバルブ等で構成した供給バルブ３６が介設されている。また、主吸引配管２８の下流部（真空吸引手段２９の手前）には、吸引したガラスカレットＣを回収するエアーフィルタ３７が介設されている。さらに、主エアー配管３２の下流部（分岐部手前）には、供給するエアーをイオン化するイオナイザ（イオン化手段）３８が介設されている。
【００４７】
エアー供給手段３３から供給された圧縮エアーは、イオン化され主エアー配管３２および個別エアー配管３１を介して各吹出しノズル２３に流入し、各吹出しノズル２３の先端からＯＤＦマザー基板８０のスクライブラインＬ近傍に吹き出される。一方、ＯＤＦマザー基板８０上に吹き出されたエアーは、発生したガラスカレットＣと混じり、３つのスリット吸引口２１，２１，２１から個別吸引配管２７および主吸引配管２８を介してフィルタリングされた後、真空吸引手段２９に排気される。なお、真空吸引手段２９は、工場内の真空設備や真空ポンプ等で構成され、エアー供給手段３３は、工場内の圧縮エアー設備やブロワーやエアーボンベ等で構成されている。
【００４８】
各整流板１３は、断面「Ｌ」字状に形成され、最外端の吸引部の外側位置から立ち上がりＯＤＦマザー基板８０の近傍位置で屈曲して、ＯＤＦマザー基板８０と平行に延在している。すなわち、一対の整流板１３，１３は、ＯＤＦマザー基板８０との間で３つの吸引部１１，１１，１１の上側空間を囲むように配設されている。詳細は後述するが、エアーの吹出し量より吸引量を十分に多くするように制御しているため、スクライブラインＬ廻りのエアーは全体として、各吸引部１１に吸い込まれるが、吹出し部１２のエアーの一部が乱れると、吸引部１１に吸い込まれないガラスカレットＣが生ずる可能性がある。この場合、３つの吸引部１１，１１，１１の上側空間のエアーは、一対の整流板１３，１３に覆われて外部に漏れ難く、ガラスカレットＣを伴って各吸引部１１に確実に吸い込まれるようになっている。なお、一対の整流板１３，１３に代えて、３つの吸引部１１，１１，１１が臨む部分を開口とした単一の整流板を用いるようにしてもよい。
【００４９】
ここで、上記の制御手段７によるブレイク装置１の制御方法を簡単に説明する。ＯＤＦマザー基板８０をメインテーブル３およびサブテーブル４に吸着セットした状態で、先ず吸引バルブ３５および供給バルブ３６を開弁すると共に、イオナイザ３８を駆動する。これにより、ＯＤＦマザー基板８０のブレイク位置（スクライブラインＬ廻り）に、両吹出し部１２，１２からエアーが吹き出され、且つ吹き出されエアーが各吸引部１１に吸い込まれて、いわゆるエアーのシートサーキットが生じた状態となる。また、このエアー（イオン化エアー）を受けてＯＤＦマザー基板８０が除電された状態となる。
【００５０】
続いて、エアーシリンダ５が駆動しサブテーブル４を回動させて、ＯＤＦマザー基板８０をブレイクする。ブレイクの瞬間に、ＯＤＦマザー基板８０の分断面からガラスカレットＣが発生し、ガラスカレットＣは、シートサーキットのエアーに載って、ブレイクにより生じたＯＤＦマザー基板８０の間隙を上から下に流れ、３つの吸引部１１，１１，１１に吸い込まれてゆく。この場合、各吹出し部（吹出しノズル２３）１２，１２からエアーは、乱流となっており、ブレイク後にＯＤＦマザー基板８０のブレイク端面等に付着しているガラスカレットＣを剥離するように作用する。また、エアー（イオン化エアー）を受けて、発生したガラスカレットＣも除電され、ＯＤＦマザー基板８０に付着しているガラスカレットＣの剥離が促進される。したがって、発生したガラスカレットＣの全てが、シートサーキットのエアーに載って、３つの吸引部１１，１１，１１に吸い込まれてゆく。
【００５１】
このようにして、ガラスカレットＣを回収したところで（タイマー制御）、供給バルブ３６が閉弁されると共にイオナイザ３８の駆動が停止し、最後に吸引バルブ３５が閉弁して、ブレイク動作を終了する。なお、発生したガラスカレットＣを検出する光センサを設け、この光センサの検出結果により、供給バルブ３６および吸引バルブ３５の閉弁やイオナイザ３８の駆動停止を制御してもよい。また、制御手段７は、エアーの吹出し量と吸引量とがバランス（吹出し量より吸引量を十分に多くする）するように、開弁状態の吸引バルブ３５および供給バルブ３６の弁開度を制御している。
【００５２】
このように、各吹出しノズル２３からの吹出しエアーを乱流化としているため、ＯＤＦマザー基板８０に付着しているガラスカレットＣも吹き上げて、各吸引部１１に確実に吸引させることができる。なお、後述する第２実施形態のように、供給バルブ３６を開閉制御し、吹出しエアーを断続させるようにしてもよい。
【００５３】
次に、図２および図４を参照して、第２実施形態に係るカレット除去装置６につき、第１実施形態と異なる部分について説明する。この実施形態では、上記の境界線の直上部に、エアーを下向きに吹き出す補助吹出し部１５を備えている。補助吹出し部１５は、境界線（スクライブライン）に平行に延在するスリット吹出し口４１を有し、スリット吹出し口４１は補助エアー配管４２および補助供給バルブ４３を介して、上記のエアー供給手段３３に接続されている。そして、補助吹出し部１５の長さは、メインテーブル（サブテーブル４）３の幅と略同一となっており、ＯＤＦマザー基板８０における最大長のスクライブラインＬをスリット吹出し口４１によりカバーできるようになっている。また、この実施形態では、第１実施形態と同様に形成された２つの吸引部１１，１１が設けられている。
【００５４】
さらに、この実施形態では、各個別エアー配管３１にそれぞれ個別供給バルブ３９が介設されており、制御手段７は、複数の個別供給バルブ３９を個別に制御すると共に、上記の補助供給バルブ４３も制御するようになっている。補助供給バルブ４３を開弁した状態では、ブレイクにより生じたＯＤＦマザー基板８０の間隙を、補助吹出し部１５からのエアーが上から下に強制的に流れ、これにより生じた髄判流にガラスカレットＣが載って、２つの吸引部１１，１１に吸い込まれることになる。なお、図示では省略したが、この実施形態でも、各吹出しノズル２３に第１実施形態のような乱流発生手段を設けると共に一対の整流板１３，１３を設けることが、好ましい。さらに、ブレイクラインＬの両端部位置にも、それぞれ吹出しノズル２３，２３を設けることが、好ましい（図５参照）。
【００５５】
そして、上記の制御手段７によるブレイク装置１の制御方法では、第１実施形態と同様に、ＯＤＦマザー基板８０をセットした状態から、吸引バルブ３５、供給バルブ３６、個別供給バルブ３９および補助供給バルブ４３を開弁すると共に、イオナイザ３８を駆動し、この状態でブレイクを行なう。また、ガラスカレットＣを回収したところで、タイマー制御或いはセンサ制御（上記の光センサ）により、）、供給バルブ３６、個別供給バルブ３９および補助供給バルブ４３が閉弁されると共にイオナイザ３８の駆動が停止し、最後に吸引バルブ３５が閉弁して、ブレイク動作を終了する。
【００５６】
ここで、上記の制御手段７によるブレイク装置１の制御方法のうち、特にガラスカレットＣの除去における複数の個別供給バルブ３９の制御方法について説明する。この制御手段７では、複数の吹出しノズル２３からのエアーの吹出し形態（個別供給バルブ３９の開閉制御）により、３つのシーケンスを有しており、ＯＤＦマザー基板８０の種別等によりいずれかのシーケンスを実施し、或いはこれらシーケンスを選択的に或いは合成的して実施するようにしている。
【００５７】
第１のシーケンスでは、一対の吹出し部１２，１２の複数の吹出しノズル２３からエアーを、同時に断続させるものであり、ＯＤＦマザー基板８０のブレイク端面に付着しているガラスカレットＣに対し、エアーが間欠的に吹きつけられるようになっている。この場合、一対の吹出し部１２，１２における対向する吹出しノズル２３，２３同士について、奇数番目を「断」偶数番目を「続」とし、次に奇数番目を「続」偶数番目を「断」とする吹出し形態を繰り返すようにしてもよい。
第２のシーケンスでは、一方の吹出し部１２の複数の吹出しノズル２３からのエアーと、他方の吹出し部１２の複数の吹出しノズル２３からのエアーと、を交互に断続させるものであり、ＯＤＦマザー基板８０に付着しているガラスカレットＣに対し、間欠的なエアーが両方向から吹きつけられるようになっている。この場合も、一対の吹出し部１２，１２における対向する吹出しノズル２３，２３同士について、交互に「断・続」させ且つ隣接する吹出しノズル２３は「続・断」としいもよい。
第３のシーケンスでは、一方の吹出し部１２の複数の吹出しノズル２３からのエアーを個別に且つ不規則に吹き出す一方、他方の吹出し部１２の複数の吹出しノズル２３からのエアーを不規則に吹き出すようにするものであり、ＯＤＦマザー基板８０に付着しているガラスカレットＣに対し、間欠的なエアーが多方向から不規則ら吹きつけられるようになっている。
【００５８】
このような、シーケンス制御により、各吹出しノズル２３からエアーの吹き出しを断続して行なうことにより、ブレイク時に、ＯＤＦマザー基板８０のブレイク端面等に付着しているガラスカレットＣは挙動し、やがて剥離して吹き上げられ、両吸引部１１，１１に確実に吸引させることができる。
【００５９】
なお、ガラス基板によっては、エアーに代えて、窒素等の不活性ガスや二酸化炭素等を適宜用いるようにしてもよい。また、別途イオナイザを、ＯＤＦマザー基板に平行に横向きに配設（上下一対）し、スクライブライン廻り（ブレイク位置）のエアーをイオン化するようにしてもよい。
【図面の簡単な説明】
【００６０】
【図１】ＯＤＦマザー基板（ａ）およびＴＦＴ液晶パネル（ｂ）の斜視図である。
【図２】本発明の第１実施形態に係るブレイク装置の全体斜視図である。
【図３】第１実施形態に係るカレット除去装置の模式図である。
【図４】第２実施形態に係るカレット除去装置の模式図である。
【図５】第２実施形態の制御方法を示す模式図である。
【符号の説明】
【００６１】
１  ブレイク装置、３  メインテーブル、４  サブテーブル、５  エアーシリンダ、６  カレット除去装置、７  制御手段、１１  吸引部、１２  吹出し部、１３  整流板、１５  補助吹出し部、２１  スリット吸引口、２３  吹出しノズル、２４  凹凸部、２５  邪魔部材、２８  主吸引配管、２９  真空吸引手段、３１  個別エアー配管、３２  主エアー配管、３３  エアー供給手段、３５  吸引バルブ、３６  供給バルブ、３８  イオナイザ、３９  個別供給バルブ、４１  スリット吹出し口、４２  補助エアー配管、４３  補助供給バルブ、８０  ＯＤＦマザー基板、Ｃ  ガラスカレット、Ｌ  スクライブライン
【図１】
2008094691.tif 000003
【図２】
2008094691.tif 000004
【図３】
2008094691.tif 000005
【図４】
2008094691.tif 000006
【図５】
2008094691.tif 000007